(57)【要約】【課題】高い精度で生体情報を検出できるようにする。【解決手段】トイレ用リモコン２０は、トイレ室Ｒに設けられる筐体２１と、筐体２１の外面に設けられ、便器装置１１に付帯する電動装置１７を遠隔操作するための操作部２３と、筐体２１の外面に設けられ、指先を当てることで生体情報を検出するセンサ２５とを備えている。トイレ用リモコン２０の取付け位置は、操作部２３の操作し易さ優先し、便座１４より上方の位置、即ち便座１４への着座者の心臓に比較的近い高さに配置される。便座１４への着座者は、指で操作部２３やセンサ２５に触れたときに、無理な体勢を強いられる虞がない。【選択図】図２
2019082009.tif 000002
【特許請求の範囲】
【請求項１】
トイレ室に設けられる筐体と、
前記筐体の外面に設けられ、便器装置に付帯する電動装置を遠隔操作するための操作部と、
前記筐体の外面に設けられ、指先を当てることで生体情報を検出するセンサとを備え、
前記センサが前記操作部の近傍に配置されていることを特徴とするトイレ用リモコン。
【請求項２】
前記筐体が前記トイレ室の壁面に取り付けられていることを特徴とする請求項１記載のトイレ用リモコン。
【請求項３】
前記筐体の外面のうち前記操作部が配された領域が、操作面となっており、
前記操作面に前記センサが配置されていることを特徴とする請求項１又は請求項２記載のトイレ用リモコン。
【請求項４】
前記センサと複数の前記操作部とが、概ね一列に並ぶように配置されていることを特徴とする請求項３記載のトイレ用リモコン。
【請求項５】
前記センサは、前記センサに当てた指の長さ方向に沿って並ぶように配された一対の発光部と１つの受光部とを備え、
前記センサと前記操作部が、前記一対の発光部と前記１つの受光部の並び方向と交差する方向に隣り合うように配置されていることを特徴とする請求項３又は請求項４記載のトイレ用リモコン。
【請求項６】
前記筐体は、前記操作部が配された操作面と、前記操作面に対し所定角度をなして連なる指当て面とを有しており、
前記センサが前記指当て面に配置されていることを特徴とする請求項１ないし請求項５のいずれか１項に記載のトイレ用リモコン。
【請求項７】
前記センサが前記筐体の上面に配置されていることを特徴とする請求項１ないし請求項５のいずれか１項に記載のトイレ用リモコン。
【請求項８】
前記筐体が、鉛直方向に対して斜めをなす上向きの傾斜面を有しており、
前記センサが前記傾斜面に配置されていることを特徴とする請求項１ないし請求項５のいずれか１項に記載のトイレ用リモコン。
【請求項９】
便器本体と便座を有する便器装置と、
便器装置に付帯する電動装置と、
トイレ用リモコンとを備え、
前記トイレ用リモコンは、
トイレ室に設けられる筐体と、
前記筐体の外面に設けられ、前記電動装置を遠隔操作するための操作部と、
前記筐体の外面に設けられ、指先を当てることで生体情報を検出するセンサとを備えて構成され、
前記センサが前記操作部の近傍に配置されていることを特徴とするトイレ装置。
【発明の詳細な説明】
【技術分野】
【０００１】
本発明は、トイレ用リモコン装置及びトイレ装置に関する。
【背景技術】
【０００２】
特許文献１には、指先から検出した生体情報に基づいて健康状態を簡易的に測定することが可能な手段として、指血圧センサを設けたトイレ装置が開示されている。家庭のトイレ内はプライバシーが保たれて気持ちが落ち着き易く、また、排便後は副交感神経が優位になるため血流が安定し易い。したがって、指血圧センサによる血流の検出をトイレで行うことは、検出精度を高めるという点で好ましい。特許文献１のトイレ装置では、指血圧センサが便器の側部に設けられており、血流を検出する際には、便座への着座者が、指先を指血圧センサに当てるようになっている。
【先行技術文献】
【特許文献】
【０００３】
【特許文献１】実開平５−７７３７４号公報
【発明の概要】
【発明が解決しようとする課題】
【０００４】
上記の指血圧センサは、便座と概ね同じ高さ、即ち心臓より低い位置に配置されているため、血流が重力の影響を受けることになり、測定精度の低下が懸念される。測定精度を向上させる手段としては、指血圧センサを、便器から切り離し、トイレ室の壁面における便座より高い位置に取り付けることが考えられる。ところが、壁面の空きスペースに余裕がなくて、指血圧センサの取付け位置に制約があると、便座への着座者が測定時に上半身を捻る等の無理な体勢を強いられる虞がある。このような無理な姿勢での測定は、指血圧センサの測定精度が低下する原因となる。
【０００５】
本発明は、上記従来の実情に鑑みてなされたものであって、高い精度で生体情報を検出できるようにすることを解決すべき課題としている。
【課題を解決するための手段】
【０００６】
第１の発明のトイレ用リモコンは、
トイレ室に設けられる筐体と、
前記筐体の外面に設けられ、便器装置に付帯する電動装置を遠隔操作するための操作部と、
前記筐体の外面に設けられ、指先を当てることで生体情報を検出するセンサとを備え、
前記センサが前記操作部の近傍に配置されていることを特徴とする。
【０００７】
また、第２の発明のトイレ装置は、
便器本体と便座を有する便器装置と、
便器装置に付帯する電動装置と、
トイレ用リモコンとを備え、
前記トイレ用リモコンは、
トイレ室に設けられる筐体と、
前記筐体の外面に設けられ、前記電動装置を遠隔操作するための操作部と、
前記筐体の外面に設けられ、指先を当てることで生体情報を検出するセンサとを備えて構成され、
前記センサが前記操作部の近傍に配置されていることを特徴とする。
【０００８】
第３の発明のトイレ用リモコンは、
トイレ室の壁面に取り付けられる筐体と、
前記筐体の外面に設けられ、便器装置に付帯する電動装置を遠隔操作するための操作部と、
前記筐体の外面に設けられ、指先を当てることで生体情報を検出するセンサとを備えていることを特徴とする。
【発明の効果】
【０００９】
第１〜第３の発明によれば、トイレ用リモコンを取り付ける位置は、便座への着座者にとって操作部の操作がし易いことを優先して設定されるので、便座への着座者は、指先で操作部やセンサに触れたときに、無理な体勢を強いられる虞がない。したがって、センサによる生体情報の検出を高い精度で行うことができる。また、第１及び第２の発明において、「近傍」は、「センサに片方の手の指先を当てた状態のまま、同じ手の別の指で操作部を操作することが可能な近さ」と定義する。この構成によれば、センサによる生体情報の検出と操作部の操作を、片手だけで同時に行うことができる。
【図面の簡単な説明】
【００１０】
【図１】実施例１のトイレ装置をあらわす斜視図
【図２】実施例１のトイレ用リモコンの斜視図
【図３】実施例２のトイレ用リモコンの斜視図
【図４】実施例３のトイレ用リモコンの斜視図
【図５】実施例４のトイレ用リモコンの斜視図
【図６】実施例５のトイレ用リモコンの斜視図
【図７】センサの素子と操作部との位置関係をあらわす概略平面図
【発明を実施するための形態】
【００１１】
第１及び第２の発明は、前記筐体が前記トイレ室の壁面に取り付けられていてもよい。センサを便器装置の便座の側方に配置した場合は、便器装置が幅方向に大型化してしまうが、上記構成によれば、センサが設けられている筐体をトイレ室の壁面に配置するようにしたので、便器装置の大型化を回避することができる。
【００１２】
第３の発明は、前記センサが前記操作部の近傍に配置されていてもよい。尚、「近傍」は、「センサに片方の手の指先を当てた状態のまま、同じ手の別の指で操作部を操作することが可能な近さ」と定義する。この構成によれば、センサによる生体情報の検出と操作部の操作を、片手だけで同時に行うことができる。
第１〜第３の発明は、前記筐体の外面のうち前記操作部が配された領域が、操作面となっており、前記操作面に前記センサが配置されていてもよい。この構成によれば、センサに片方の手の指を当てると、同じ手の別の指が自然に操作面上に当たるので、センサで検出をしながら操作部を操作する際の操作性が良い。
【００１３】
第１〜第３の発明は、前記センサと複数の前記操作部とが、概ね一列に並ぶように配置されていてもよい。この構成によれば、センサに片方の手の指を当てると、同じ手の別の指が自然に操作部に当たるので、センサで検出をしながら操作部を操作する際の操作性が良い。
【００１４】
第１〜第３の発明は、前記センサは、前記センサに当てた指の長さ方向に沿って並ぶように配された一対の発光部と１つの受光部とを備え、前記センサと前記操作部が、前記一対の発光部と前記１つの受光部の並び方向と交差する方向に隣り合うように配置されていてもよい。この構成によれば、センサに対し片方の手の指を正しい向きで当てると、同じ手の別の指が自然に操作部に当たるので、センサで検出をしながら操作部を操作する際の操作性が良い。
【００１５】
第１〜第３の発明は、前記筐体は、前記操作部が配された操作面と、前記操作面に対し所定角度をなして連なる指当て面とを有しており、前記センサが前記指当て面に配置されていてもよい。この構成によれば、片方の手を自然に内側へ曲げた状態で、その手のいずれかの指をセンサに当てると、同じ手の別の指が自然に操作部に当たる。したがって、センサで検出をしながら操作部を操作する際の操作性が良い。
【００１６】
第１〜第３の発明は、前記センサが前記筐体の上面に配置されていてもよい。この構成によれば、センサに指を載せたときに、センサから指への反力が過大になったり過小になったりしないので、センサで脈波を検出する場合における検出精度が高い。
【００１７】
第１〜第３の発明は、前記筐体が、鉛直方向に対して斜めをなす上向きの傾斜面を有しており、前記センサが前記傾斜面に配置されていてもよい。この構成によれば、センサは、鉛直方向に対して斜めをなす上向きの傾斜面に配置されているので、センサを鉛直方向の面に設ける場合に比べると、センサに指を当てる動作を行い易い。
【００１８】
＜実施例１＞
以下、本発明を具体化した実施例１を図１〜図２を参照して説明する。尚、以下の説明において、前後の方向については、図１，２における斜め右下方を前方と定義する。上下の方向については、図１，２にあらわれる向きを、そのまま上方、下方と定義する。
【００１９】
本実施例１のトイレ装置１０は、便器装置１１と、トイレ用リモコン２０と、センサ２５とを備えて構成されている。便器装置１１は、便鉢部１３や排水路等が形成された便器本体１２と、便器本体１２の上面に取り付けられた便座１４と、便器本体１２の上面の開口部を開閉する便蓋１５と、便器本体１２に供給するための洗浄水を貯留する給水用タンク１６を備えている。
【００２０】
トイレ装置１０は、便器装置１１に付帯して設けた電動装置１７を備えている。図１には、電動装置１７の一例として局部洗浄装置のシャワーノズル１８が示されている。電動装置１７は、トイレ用リモコン２０によって遠隔操作されるものである。局部洗浄装置以外の電動装置１７としては、便器洗浄装置（図示省略）、擬音装置（図示省略）、便蓋開閉装置（図示省略）、便座開閉装置（図示省略）、便座暖房装置（図示省略）、温風装置（図示省略）、消臭装置（図示省略）等がある。
【００２１】
トイレ用リモコン２０は、上記電動装置１７を遠隔操作する手段であり、構造的には、壁面Ｗに固定された筐体２１と、筐体２１の外面に設けられた複数の操作部２３と、センサ２５と、バッテリー（図示省略）とを備えて構成されている。筐体２１の正面（壁面Ｗと正対したときに見える面）は、幅方向に長い略長方形をなす上向きの操作面２２（請求項に記載の傾斜面）となっている。操作面２２は、鉛直方向に対して傾斜した平面からなる。壁面Ｗからの水平距離が筐体２１の上端から下端に向かって次第に大きくなるような向きに傾斜している。
【００２２】
操作面２２には、押しボタン等からなる複数の操作部２３が設けられている。操作部２３の正面視形状は概ね方形であり、縦横の向きが揃うように整列した状態で配置されている。複数の操作部２３を押し操作することにより、上記電動装置１７を起動・停止させたり、電動装置１７の機能調整等を行うことができる。操作面２２の幅方向左端側領域においては、複数の操作部２３が、上下二段に分かれ、各段において幅方向に近接して並ぶように配置されている。操作面２２の幅方向中央部には、縦長の操作部２３が横に並んで配置されている。操作面２２の幅方向右端部には、操作部２３による操作状態等を表示するモニター２４が配置されている。
【００２３】
トイレ用リモコン２０は、トイレ室Ｒの左側の壁面Ｗに取り付けられている。トイレ用リモコン２０の取付け位置は、トイレの使用者（図示省略）が便座１４に着座したままでトイレ用リモコン２０の操作部２３を操作することを考慮し、操作のし易さを優先して設定されている。即ち、トイレ用リモコン２０は、上下方向に関しては、便座１４よりも上方の位置、即ち便座１４への着座者の心臓に比較的近い高さに配置される。また、トイレ室Ｒの前後方向に関しては、便座１４への着座者が、指先で操作部２３を操作しようとするときに、上半身を捻るなどの無理な体勢を強いられる虞のない位置に配置される。
【００２４】
操作面２２にはセンサ２５が設けられている。センサ２５は、トイレ用リモコン２０内に設けた情報処理部（図示省略）及び上記モニター２４とともに生体情報機器２６を構成するものである。生体情報機器２６は、指先からの生体情報（脈波、心拍数、血圧、体温、静脈パターン、指紋等）に基づき、血管年齢、ストレス度等の健康状態の簡易的な測定や、個人を特定するための生体認証等を行うものである。
【００２５】
センサ２５の表面に指先の腹が当てられると、センサ２５は、指先から得た生体情報を検出し、その検出情報を電気信号として情報処理部へ出力する。情報処理部では、センサ２５からの検出信号（生体情報）に基づいて演算処理を行い、その演算結果を健康状態の簡易測定値や個人認証情報等としてモニター２４に出力する。生体情報機器２６は、電源として、トイレ用リモコン２０に給電するためのバッテリーを流用している。
【００２６】
センサ２５は、正面視形状が縦長の長方形をなし、第２指（人差し指）の指先（第１関節から指の先端側の部分）より一回り小さい寸法である。換言すると、第２指の指先をセンサ２５に当てたときに、その指先でセンサ２５の全体が隠れる程度の大きさである。センサ２５は、操作面２２の左端部（最も左端に位置する操作部２３の左隣りの位置）に配置されている。詳細には、センサ２５は、上下二段のうち下段における最も後端に位置する操作部２３の左側に隣り合うように配置されている。つまり、センサ２５と、下段に配置した複数の操作部２３は、幅方向（前後方向）に一列に且つ近接して並んでいる。
【００２７】
センサ２５の上下寸法は下段の操作部２３の上下寸法より小さく、センサ２５の外周縁における上縁は、下段の操作部２３の外周縁における上縁と同じ高さに位置している。即ち、センサ２５と操作部２３の位置関係は、センサ２５と操作部２３の並び方向（前後方向）と直交する方向（上下方向）に関して、センサ２５の少なくとも一部と操作部２３の少なくとも一部とが同じ領域（高さ）に位置するような形態である。
【００２８】
センサ２５の表面（指先を当てる面）は、操作部２３の表面（指先を当てて押し操作する面）と平行をなす平面となっている。センサ２５と下段の操作部２３の並列ピッチは、片手の指だけでセンサ２５と複数の操作部２３を同時に触れることのできる程度のピッチである。また、センサ２５と上段の操作部２３も、片手の指だけでセンサ２５と複数の操作部２３を同時に触れることのできる程度に接近した位置関係となっている。
【００２９】
したがって、右手をトイレ用リモコン２０側へ伸ばして第２指をセンサ２５に当てると、同じく右手の第３指（中指）、第４指（薬指）、第５指（小指）を、自然に伸ばしただけで複数の操作部２３に当てることができる。これにより、片方の手だけで、センサ２５に第２指を当てて生体情報の検出を行いながら、同時に、複数の操作部２３を操作することが可能である。また、センサ２５から遠い操作部２３に関しては、指の間隔を拡げることにより、センサ２５による生体情報検出と操作部２３の操作を同時に行うことができる。
【００３０】
また、概ね方形のセンサ２５と概ね方形の操作部２３が、縦横の向きを揃えるように（外周縁の各辺が平行となるように）配置されている。したがって、片方の手だけで、センサ２５に第２指を当てて生体情報の検出を行いながら、同時に、別の指により複数の操作部２３を操作する動作を行い易くなっている。
【００３１】
本実施例１のトイレ用リモコン２０は、センサ２５を備えているので、便座１４への着座者が指先をセンサ２５に当てることにより、血流の脈波を検出して血管年齢を測定すること等が可能である。家庭のトイレ内はプライバシーが保たれて気持ちが落ち着き易く、また、排便後は副交感神経が優位になるため血流が安定し易い。したがって、センサ２５による脈波測定をトイレで行うことは、検出精度を高めるという点で好ましい。
【００３２】
また、センサ２５を含む生体情報機器２６を、便座１４の側方に設けたアーム部（図示省略）に設けようとした場合、そのアーム部には生体情報機器２６に給電するための電源も設置する必要があり、その結果、アーム部が大型化することになる。その点、本実施例１では、生体情報機器２６をトイレ用リモコン２０に内蔵し、生体情報機器２６に給電するための電源として、トイレ用リモコン２０用のバッテリーを使用しているので、生体情報機器２６を小型化することができる。
【００３３】
しかも、本実施例１では、センサ２５が操作部２３と同じくトイレ用リモコン２０の操作面２２に配置されているので、便座１４への着座者がセンサ２５に指先を当てるときにも、その指は比較的心臓に近い高さまで持ち上げることになる。しかも、着座者は、上半身を捻るなどの無理な体勢を強いられることもない。これにより、センサ２５による生体情報の検出を高い精度で行うことができる。
【００３４】
また、センサ２５は操作部２３の近傍に配置されている。ここで、「近傍」は、「センサ２５に片方の手の指先を当てた状態のまま、同じ手の別の指で操作部２３を操作することが可能な近さ」と定義する。したがって、センサ２５による生体情報の検出と操作部２３の操作を、片手だけで同時に行うことができる。
【００３５】
また、筐体２１の外面のうち操作部２３が配された領域（筐体２１の正面）が操作面２２となっており、この操作部２３が配置された操作面２２にはセンサ２５も配置されている。さらに、センサ２５と下段に配列した複数の操作部２３とが、幅方向に沿って概ね一列に並ぶように配置されている。これらの構成によれば、センサ２５に片方の手の指を当てると、同じ手の別の指が自然に操作面２２上に当たるので、センサ２５で検出をしながら操作部２３を操作する際の操作性が良い。
【００３６】
また、筐体２１は、鉛直方向に対して斜めをなす上向きの傾斜面（操作面２２）を有しており、センサ２５は傾斜面（操作面２２）に配置されている。この構成によれば、センサ２５は、鉛直方向に対して斜めをなす上向きの傾斜面に配置されているので、センサ２５を鉛直方向の面に設ける場合に比べると、センサ２５に指を当てる動作を行い易い。
【００３７】
＜実施例２＞
次に、本発明を具体化した実施例２を図３を参照して説明する。本実施例２のトイレ用リモコン３０は、筐体３１の形状とセンサ２５の位置を上記実施例１とは異なる構成としたものである。その他の構成については上記実施例１と同じであるため、同じ構成については、同一符号を付し、構造、作用及び効果の説明は省略する。
【００３８】
本実施例２の筐体３１の全体形状と操作部２３の形状及び配置、さらにモニター２４の位置については、実施例１と同じ構成である。本実施例２の筐体３１の上端部には、幅方向の中央部から正面側へ水平板状に突出した形態の指置き部３２が、一体に形成されている。指置き部３２の上面は、筐体３１の上面と面一状に繋がっている。指置き部３２の幅方向中央部にはセンサ２５が配置されている。指置き部３２のうちセンサ２５を幅方向に挟む領域は、センサ２５に指先を当てたときに、その指のうち指先（第１関節）より根元側の部分を載せるための一対の載置領域３３となっている。
【００３９】
本実施例２のトイレ用リモコン３０は、トイレ室（図示省略）の左側の壁面（図示省略）に取り付けられている。実施例１と同じく、トイレ用リモコン３０の取付け位置は、トイレ用リモコン３０の操作部２３の操作のし易さを優先し、上下方向に関しては便座への着座者の心臓に比較的近い高さに配置され、トイレ室の前後方向に関しては、便座への着座者が無理な体勢を強いられる虞のない位置に配置されている。
【００４０】
したがって、トイレ用リモコン３０に設けられているセンサ２５に指先を当てて生体情報を検出するときにも、その指は比較的心臓に近い高さまで持ち上げられ、着座者は無理な体勢を強いられることもない。これにより、センサ２５による生体情報の検出を高い精度で行うことができる。
【００４１】
右手をトイレ用リモコン３０側へ伸ばして第２指をセンサ２５に載せて当てると、同じく右手の第１指（親指）が自然に斜め上向きの操作面２２（請求項に記載の傾斜面）と対応するように位置する。したがって、片方の手だけで、センサ２５に第２指を当てて生体情報の検出を行いながら、同時に、第１指で操作部２３を操作することが可能である。
【００４２】
また、センサ２５は操作部２３の近傍に配置されているので、センサ２５による生体情報の検出と操作部２３の操作を、片手だけで同時に行うことができる。さらに、センサ２５は筐体３１の上面に配置されているので、センサ２５に指を載せたときに、センサ２５から指への反力が過大になったり過小になったりする虞がない。これにより、センサ２５で脈波を検出する場合における検出精度が高くなっている。
【００４３】
＜実施例３＞
次に、本発明を具体化した実施例３を図４を参照して説明する。本実施例３のトイレ用リモコン４０は、筐体４１の形状とセンサ２５の位置を上記実施例１とは異なる構成としたものである。その他の構成については上記実施例１と同じであるため、同じ構成については、同一符号を付し、構造、作用及び効果の説明は省略する。
【００４４】
本実施例３の筐体４１の全体形状と操作部２３の形状及び配置、さらにモニター２４の位置については、実施例１と同じ構成である。本実施例３の筐体４１の下端部には、幅方向の中央部から正面側へ水平板状に突出した形態の指置き部４２が、一体に形成されている。指置き部４２の上面は、斜め上向きの操作面２２（請求項に記載の傾斜面）の下端縁に連なり、操作面２２に対して所定角度（９０°より僅かに大きい角度）をなす指当て面４３となっている。指当て面４３の幅方向中央部にはセンサ２５が配置されている。指当て面４３のうちセンサ２５を幅方向に挟む領域は、センサ２５に指先を当てたときに、その指のうち指先（第１関節）より根元側の部分を載せるための一対の載置領域４４となっている。
【００４５】
本実施例３のトイレ用リモコン４０は、トイレ室（図示省略）の左側の壁面（図示省略）に取り付けられている。実施例１と同じく、トイレ用リモコン４０の取付け位置は、トイレ用リモコン４０の操作部２３の操作のし易さを優先し、上下方向に関しては便座への着座者の心臓に比較的近い高さに配置され、トイレ室の前後方向に関しては、便座への着座者が無理な体勢を強いられる虞のない位置に配置されている。
【００４６】
したがって、トイレ用リモコン４０に設けられているセンサ２５に指先を当てて生体情報を検出するときにも、その指は比較的心臓に近い高さまで持ち上げられ、着座者は無理な体勢を強いられることもない。これにより、センサ２５による生体情報の検出を高い精度で行うことができる。
【００４７】
右手をトイレ用リモコン４０側へ伸ばして第２指（人差し指）をセンサ２５に載せて当てると、同じく右手の第３指（中指）、第４指（薬指）、第５指（小指）を複数の操作部２３に当てることができる。したがって、片方の手だけで、センサ２５に第２指を当てて生体情報の検出を行いながら、同時に、複数の操作部２３を操作することが可能である。また、センサ２５から遠い操作部２３に関しては、指の間隔を拡げることにより、センサ２５による生体情報検出と操作部２３の操作を同時に行うことができる。
【００４８】
また、センサ２５は操作部２３の近傍に配置されているので、センサ２５による生体情報の検出と操作部２３の操作を、片手だけで同時に行うことができる。さらに、センサ２５は筐体４１の上面に配置されているので、センサ２５に指を載せたときに、センサ２５から指への反力が過大になったり過小になったりする虞がない。これにより、センサ２５で脈波を検出する場合における検出精度が高くなっている。
【００４９】
また、筐体４１は、操作部２３が配された操作面２２と、操作面２２に対し所定角度をなして連なる指当て面４３とを有しており、センサ２５が指当て面４３に配置されている。この構成によれば、片方の手を自然に内側へ曲げた状態で、その手のいずれかの指をセンサ２５に当てると、同じ手の別の指が自然に操作部２３に当たる。したがって、センサ２５で検出をしながら操作部２３を操作する際の操作性が良い。
【００５０】
＜実施例４＞
次に、本発明を具体化した実施例４を図５を参照して説明する。上記実施例１のトイレ用リモコン２０が単独でトイレ室Ｒの壁面Ｗに取り付けられていたのに対し、本実施例４のトイレ用リモコン５０は、壁面（図示省略）に取り付けられるトイレットペーパーホルダ５７の上面に一体的に設けたものである。
【００５１】
トイレ用リモコン５０は、全体として高さ寸法に対して幅寸法と奥行き寸法の大きい偏平なブロック状をなしている。筐体５１の正面は、幅方向に長く、且つ鉛直方向に対して傾斜した上向きの操作面５２（請求項に記載の傾斜面）となっている。操作面５２には複数の操作部５３が配置されている。筐体５１の上面は、操作面５２に対して所定角度（９０°より僅かに大きい角度）をなす指当て面５４となっている。
【００５２】
指当て面５４の幅方向中央部には、センサ５５とモニター５６とが設けられている。センサ５５は、奥行き方向における中央部に配置され、モニター５６は、奥行き方向に関して操作面５２に近い位置に配置されている。モニター５６には、センサ５５で生体情報を検出することによって得られた健康状態や個人認証情報等が表示される。
【００５３】
本実施例４のトイレ用リモコン５０は、トイレットペーパーホルダ５７を介してトイレ室（図示省略）の左側の壁面（図示省略）に取り付けられている。実施例１と同じく、トイレ用リモコン５０の取付け位置は、トイレ用リモコン５０の操作部５３の操作のし易さを優先し、上下方向に関しては便座への着座者の心臓に比較的近い高さに配置され、トイレ室の前後方向に関しては、便座への着座者が無理な体勢を強いられる虞のない位置に配置されている。
【００５４】
したがって、トイレ用リモコン５０に設けられているセンサ５５に指先を当てて生体情報を検出するときにも、その指は比較的心臓に近い高さまで持ち上げられ、着座者は無理な体勢を強いられることもない。これにより、センサ５５による生体情報の検出を高い精度で行うことができる。
【００５５】
左手の第２指をセンサ５５に当てると、同じく左手の第１指（親指）が自然に操作面５２と対応するように位置する。したがって、片方の手だけで、センサ５５に第２指を当てて生体情報の検出を行いながら、同時に、第１指で操作部５３を操作することが可能である。
【００５６】
また、センサ５５は操作部５３の近傍に配置されているので、センサ５５による生体情報の検出と操作部５３の操作を、片手だけで同時に行うことができる。さらに、センサ５５は筐体５１の上面に配置されているので、センサ５５に指を載せたときに、センサ５５から指への反力が過大になったり過小になったりする虞がない。これにより、センサ５５で脈波を検出する場合における検出精度が高くなっている。
【００５７】
また、筐体５１は、操作部５３が配された操作面５２と、操作面５２に対し所定角度をなして連なる指当て面５４とを有しており、センサ５５は指当て面５４に配置されている。この構成によれば、片方の手を自然に内側へ曲げた状態で、その手のいずれかの指をセンサ５５に当てると、同じ手の別の指が自然に操作部５３に当たる。したがって、センサ５５で検出をしながら操作部５３を操作する際の操作性が良い。
【００５８】
＜実施例５＞
次に、本発明を具体化した実施例５を図６〜図７を参照して説明する。上記実施例１のトイレ用リモコン２０が単独でトイレ室Ｒの壁面Ｗに取り付けられていたのに対し、本実施例５のトイレ用リモコン６０は、壁面（図示省略）に取り付けられるトイレットペーパーホルダ７０の上面に一体的に設けたものである。
【００５９】
トイレットペーパーホルダ７０の上面部には、トイレ用リモコン６０を格納するための格納空間７２を有するケース７１が設けられている。格納空間７２は、ケース７１の正面において幅方向に長いスリット状に開口している。トイレ用リモコン６０は、電動又は手動によりケース７１の正面側に突出した使用形態と、格納空間７２内に格納された格納形態（図示省略）との間で水平にスライドし得るようになっている。
【００６０】
トイレ用リモコン６０は、全体として高さ寸法に対して幅寸法と奥行き寸法の大きい偏平なブロック状をなしている。トイレ用リモコン６０の筐体６１の正面は、幅方向に長く、且つ鉛直方向に対して傾斜した上向きの主操作面６２（請求項に記載の操作面であり、傾斜面）となっている。主操作面６２には複数の主操作部６３（請求項に記載の操作部）が配置されている。
【００６１】
筐体６１の上面は、水平な副操作面６４（請求項に記載の操作面）となっている。副操作面６４は、主操作面６２の上端縁に連なり、主操作面６２に対して所定角度（９０°より僅かに大きい角度）をなしている。副操作面６４には、複数の副操作部６５（請求項に記載の操作部）とセンサ６６が設けられている。
【００６２】
センサ６６は、波長の異なる検知光を発する一対の発光素子６７（請求項に記載の発光部）と、１つの受光素子６８（請求項に記載の発光部）とを備えている。センサ６６に指先を当てると、一方の発光素子６７から発せられた検知光が動脈で反射して受光素子６８で受光され、他方の発光素子６７から発せられた検知光が静脈で反射して受光素子６８で受光され、これらの検知光により動脈と静脈の脈波が検出される。
【００６３】
図７に示すように、一対の発光素子６７と受光素子６８は、奥行き方向にほぼ一列に並ぶように配置されている。脈波を検出する際には、指の長さ方向が３つの素子６７，６８の並び方向に沿うような向きで、指先をセンサ６６に当てる必要がある。一方、複数の副操作部６５は、センサ６６に対し幅方向に並ぶように配置されている。つまり、センサ６６と複数の副操作部６５が並ぶ方向は、センサ６６に設けた３つの素子６７，６８が並ぶ方向に対して直交する方向となっている。
【００６４】
したがって、例えば左手の第２指（人差し指）を適正な向きでセンサ６６に載せて当てると、同じく左手の第３指（中指）、第４指（薬指）、第５指（小指）を、自然に伸ばしただけで複数の副操作部６５に当てることができる。したがって、片方の手だけで、センサ６６に第２指を当てて生体情報の検出を行いながら、同時に、複数の副操作部６５を操作することが可能である。また、センサ６６から遠い副操作部６５に関しては、指の間隔を拡げることにより、センサ６６による生体情報検出と副操作部６５の操作を同時に行うことができる。
【００６５】
また、センサ６６が配置されている副操作面６４は、主操作面６２の上端縁に連なり、主操作面６２に対して所定角度（９０°より僅かに大きい角度）をなしている。したがって、左手の第２指をセンサ６６に載せて当てると、同じく左手の第１指（親指）が自然に主操作面６２と対応するように位置する。したがって、片方の手だけで、センサ６６に第２指を当てて生体情報の検出を行いながら、同時に、第１指で主操作部６３を操作することが可能である。
【００６６】
本実施例５のトイレ用リモコン６０は、トイレットペーパーホルダ７０を介してトイレ室（図示省略）の左側の壁面（図示省略）に取り付けられている。実施例１と同じく、トイレ用リモコン６０の取付け位置は、トイレ用リモコン６０の主操作部６３や副操作部６５の操作のし易さを優先し、上下方向に関しては便座への着座者の心臓に比較的近い高さに配置され、トイレ室の前後方向に関しては、便座への着座者が無理な体勢を強いられる虞のない位置に配置されている。
【００６７】
したがって、トイレ用リモコン６０に設けられているセンサ６６に指先を当てて生体情報を検出するときにも、その指は比較的心臓に近い高さまで持ち上げられ、着座者は無理な体勢を強いられることもない。これにより、センサ６６による生体情報の検出を高い精度で行うことができる。
【００６８】
また、センサ６６は主操作部６３及び副操作部６５の近傍に配置されているので、センサ６６による生体情報の検出と主操作部６３と副操作部６５の操作を、片手だけで同時に行うことができる。さらに、センサ６６は筐体６１の上面に配置されているので、センサ６６に指を載せたときに、センサ６６から指への反力が過大になったり過小になったりする虞がない。これにより、センサ６６で脈波を検出する場合における検出精度が高くなっている。
【００６９】
また、筐体６１は、主操作部６３が配された主操作面６２と、主操作面６２に対し所定角度をなして連なる副操作面６４とを有しており、センサ６６は副操作面６４に配置されている。この構成によれば、片方の手を自然に内側へ曲げた状態で、その手のいずれかの指をセンサ６６に当てると、同じ手の別の指が自然に主操作部６３に当たる。したがって、センサ６６で検出をしながら主操作部６３を操作する際の操作性が良い。
【００７０】
また、センサ６６は、センサ６６に当てた指の長さ方向に沿って並ぶように配された一対の発光素子６７と１つの受光素子６８とを備えており、センサ６６と複数の副操作部６５が、一対の発光素子６７と１つの受光素子６８の並び方向と交差する方向に隣り合うように配置されている。この構成によれば、センサ６６に対し片方の手の指を正しい向きで当てると、同じ手の別の指が自然に副操作部６５に当たるので、センサ６６で検出をしながら副操作部６５を操作する際の操作性が良い。
【００７１】
＜他の実施例＞
本発明は上記記述及び図面によって説明した実施例に限定されるものではなく、例えば次のような実施例も本発明の技術的範囲に含まれる。
（１）上記実施例１〜５では、操作面が鉛直方向に対して傾斜した傾斜面となっているが、操作面は、鉛直方向の平面であってもよい。
（２）上記実施例１〜５では、筐体の操作面が平面で構成されているが、操作面は、曲面で構成されていてもよい。
（３）上記実施例１〜５では、筐体の傾斜面が平面で構成されているが、傾斜面は、鉛直方向に対して斜めをなす曲面で構成されていてもよい。
（４）上記実施例１〜５では、操作面が筐体の正面に設けられているが、操作面は筐体の上面に配置されていてもよい。
（５）上記実施例１〜５では、センサによる生体情報の検出と操作部の操作を片手で同時に行うことができるようにしたが、片手だけでは、センサによる検出と操作部の操作を同時に行えない形態としてもよい。
（６）上記実施例１，２，４，５では、センサが筐体の正面又は上面に配置されているが、実施例１，２，４，５において、センサを筐体の側面に配してもよい。
（７）上記実施例１では、センサの上端縁が下段の操作部の上端縁と同じ高さに位置し、センサの下端縁が操作部の下端縁より高い位置にある形態としたが、センサと操作部の位置関係については、センサと操作部の並び方向と直交する方向（上下方向）に関して、センサの少なくとも一部と操作部の少なくとも一部とが同じ領域に位置するような形態であればよい。このような位置関係にすれば、片方の手でセンサによる検出と操作部の押し操作を同時に行う動作を、容易に行うことができる。
（８）上記実施例２〜５では、筐体の指当て面が平面で構成されているが、指当て面は、曲面で構成されていてもよい。
（９）上記実施例４において、センサの検出結果に基づく測定値を表示するモニターを、トイレ用リモコンとは別体に設けてもよい。
（１０）上記実施例４，５では、センサが操作面と別の面に配置されているが、実施例４，５においてセンサを操作面に配してもよい。
（１１）上記実施例５のセンサと操作部が、一対の発光部と１つの受光部の並び方向と交差する方向に隣り合うように配される構成は、実施例１〜４にも適用することができる。
（１２）上記実施例１〜５では、傾斜面が操作部を有する操作面となっているが、傾斜面は操作部が形成されていない面であってもよい。
【符号の説明】
【００７２】
Ｒ…トイレ室
Ｗ…壁面
１０…トイレ装置
１１…便器装置
１２…便器本体
１４…便座
１７…電動装置
１８…シャワーノズル
２０，３０，４０，５０，６０…トイレ用リモコン
２１，３１，４１，５１，６１…筐体
２２，５２…操作面（傾斜面）
２３，５３…操作部
２５，５５，６６…センサ
４３…指当て面
６２…主操作面（操作面、傾斜面）
６３…主操作部（操作部）
６４…副操作面（操作面）
６５…副操作部（操作部）
６７…発光部（発光素子）
６８…受光部（受光素子）
【図１】
2019082009.tif 000003
【図２】
2019082009.tif 000004
【図３】
2019082009.tif 000005
【図４】
2019082009.tif 000006
【図５】
2019082009.tif 000007
【図６】
2019082009.tif 000008
【図７】
2019082009.tif 000009